(57)【要約】      （修正有）【課題】必要としない通信モードが動作することによる、不要に大きな電流消費を回避する。【解決手段】時刻取得部１２０が取得した現在の時刻と、記憶部１３０に記憶されている通信ログとに基づいて、モード設定部１４０が、カードエミュレーションモード、Ｒ／Ｗモード、Ｐ２Ｐモードの複数の動作モードの中から動作モードを決定し、決定した動作モードを通信部１１０に設定し、通信部１１０が、モード設定部１４０が設定した動作モードで通信を行う。【選択図】図１
2014150479.tif 000002
【特許請求の範囲】
【請求項１】
外部の装置との間で通信を行う通信部と、
時刻を取得する時刻取得部と、
前記通信部の通信ログを記憶する記憶部と、
現在の時刻と、前記記憶部に記憶されている通信ログとに基づいて、動作モードを決定し、該決定した動作モードを前記通信部に設定するモード設定部とを有し、
前記通信部は、複数の動作モードのうち前記モード設定部が設定した動作モードで通信を行う通信装置。
【請求項２】
請求項１に記載の通信装置において、
前記モード設定部は、現在の時刻を検索キーとして、前記記憶部から該時刻に応じた動作モードを検索し、該検索した動作モードを前記通信部に設定する動作モードとして決定することを特徴とする通信装置。
【請求項３】
請求項１または請求項２に記載の通信装置において、
前記記憶部は、
前記通信ログを記憶するログ記憶部と、
複数の通信モードと前記動作モードとをあらかじめ対応付けて記憶する動作モード記憶部とを有し、
前記モード設定部は、現在の時刻に対応する時間帯に使用されていた通信モードを前記ログ記憶部から検索し、該検索した通信モードと対応付けられている動作モードを前記動作モード記憶部から検索し、該検索した動作モードを前記通信部に設定する動作モードとして決定することを特徴とする通信装置。
【請求項４】
請求項１から３のいずれか１項に記載の通信装置において、
当該通信装置の動作状態を判定する状態判定部を有し、
前記モード設定部は、現在の時刻と、前記記憶部に記憶されている通信ログと、前記状態判定部が判定した動作状態とに基づいて、前記動作モードを決定することを特徴とする通信装置。
【請求項５】
時刻を取得する処理と、
通信ログを記憶する処理と、
現在の時刻と前記通信ログとに基づいて、動作モードを決定する処理と
前記決定した動作モードで通信を行う処理とを行う通信方法。
【請求項６】
コンピュータに、
時刻を取得する手順と、
通信ログを記憶する手順と、
現在の時刻と前記通信ログとに基づいて、動作モードを決定する手順と
前記決定した動作モードで通信を行う手順とを実行させるためのプログラム。
【発明の詳細な説明】
【技術分野】
【０００１】
本発明は、電気通信を行う通信装置、通信方法およびプログラムに関する。
【背景技術】
【０００２】
近年、近距離無線通信を行う携帯端末等の通信装置として、例えば、通信装置を所定のリーダにかざすことで精算を行うという、当該通信装置を財布のように利用することができる非接触型ＩＣカード技術方式を用いた通信モードに対応した通信装置（以下、非接触型ＩＣカード端末と称する）や、近距離無線通信の国際標準であるＮＦＣに対応した通信装置（以下、ＮＦＣ端末と称する）が普及してきている。
【０００３】
ＮＦＣ端末では、例えば、カードエミュレーションモードや、Ｒ／Ｗ（Ｒｅａｄｅｒ／Ｗｒｉｔｅｒ）モード、Ｐ２Ｐ（Ｐｅａｒ  ｔｏ  Ｐｅａｒ）モードの通信モードを用いた通信が可能となっている。
【０００４】
カードエミュレーションモードは、非接触ＩＣカードのように通信装置が非接触ＩＣカード機能を実現する通信モードである。
【０００５】
また、Ｒ／Ｗモードは、通信装置を情報のリーダ／ライタとして使う通信モードである。この通信モードでは、通信装置が１３．５６ＭＨｚの搬送波を出力する。このとき、通信装置は、当該通信装置に実装された発振子を用いて搬送波を出力する。そのため、通信装置がＲ／Ｗモードで動作する場合は、カードエミュレーションモードで動作する場合と比べて、消費電流が大きい。
【０００６】
Ｐ２Ｐモードは、通信装置間（１対１）で双方向のデータ通信を行う通信モードである。Ｐ２Ｐモードで動作する場合も、通信装置がＲ／Ｗモードで動作する場合と同様の通信動作を行うため、消費電流が大きい。
【０００７】
非接触型ＩＣカード端末においては、通常、非接触型ＩＣカード技術方式を用いたカードエミュレーションモードが動作しているが、Ｒ／Ｗモードを使用する場合、当該通信装置の保持者が所定の操作を行って専用のアプリケーションを動作させる。Ｐ２Ｐモードを使用する場合も同様である。そのため、非接触型ＩＣカード端末は、通信装置の保持者が操作を行ったとき以外は、Ｒ／ＷモードやＰ２Ｐモードで動作することはない。
【０００８】
図１２は、非接触型ＩＣカード端末において動作している通信モードと消費電流との関係の一例を示す図である。ここでは、時刻Ａで保持者が所定の操作を行った場合を例に挙げて示す。
【０００９】
図１２に示すように、動作する通信モードは保持者の操作にしたがって変化する。また、動作している通信モードがカードエミュレーションモードである場合と比べて、動作している通信モードがＲ／ＷモードやＰ２Ｐモードの場合は、消費電流が大きい。
【００１０】
一方、ＮＦＣ端末は、上述した３つの通信モードを標準で有しており、あるプラットフォームが搭載されたＮＦＣ端末では、通信装置の電源を立ち上げると３つの通信モード全ての動作が有効となる。そのため、通信装置の保持者が操作を行うことなく、Ｒ／ＷモードやＰ２Ｐモードが動作していることとなる。
【００１１】
図１３は、ＮＦＣ端末において動作している通信モードと消費電流との関係の一例を示す図である。
【００１２】
図１３に示すように、動作する通信モードがあらかじめ決められたタイミングで変化する。図１３では、通信装置の表示部（ディスプレイ）がＯＦＦである場合、カードエミュレーションモードだけが動作し、表示部がＯＮである場合は、３つの通信モードが動作する場合を例に挙げて示す。また、動作している通信モードがカードエミュレーションモードである場合と比べて、３つの通信モードが動作している場合は、消費電流が大きい。
【００１３】
また、通信デバイスがリーダ／ライタとして機能する通信モードと、パッシブタグとして機能する通信モードとを、通信相手の情報処理装置の稼働状態に基づいて切り替える技術が開示されている（例えば、特許文献１参照。）。
【先行技術文献】
【特許文献】
【００１４】
【特許文献１】特開２０１１−２８６１５号公報
【発明の概要】
【発明が解決しようとする課題】
【００１５】
上述したように、ＮＦＣ端末においては、当該通信装置の保持者が、例えば、電子メールを作成しているときや、ネットサーフィンを行っているとき、動画を視聴しているとき等、近距離無線通信を利用していないときであっても、上述した３つの通信モードが動作し、消費電流が不要に大きくなってしまうという問題点がある。
【００１６】
また、例えば、特許文献１に開示された技術においても、通信相手の情報処理装置の稼働状態を判断することができなければ、必要としない通信モードが動作することが考えられ、消費電流が不要に大きくなってしまうおそれがある。
【００１７】
本発明の目的は、上述した課題を解決する通信装置、通信方法およびプログラムを提供することである。
【課題を解決するための手段】
【００１８】
本発明の通信装置は、
外部の装置との間で通信を行う通信部と、
時刻を取得する時刻取得部と、
前記通信部の通信ログを記憶する記憶部と、
現在の時刻と、前記記憶部に記憶されている通信ログとに基づいて、前記動作モードを決定し、該決定した動作モードを前記通信部に設定するモード設定部とを有し、
前記通信部は、複数の動作モードのうち前記モード設定部が設定した動作モードで通信を行う。
【００１９】
また、本発明の通信方法は、
時刻を取得する処理と、
通信ログを記憶する処理と、
現在の時刻と前記通信ログとに基づいて、動作モードを決定する処理と
前記決定した動作モードで通信を行う処理とを行う。
【００２０】
また、本発明のプログラムは、
コンピュータに実行させるためのプログラムであって、
時刻を取得する手順と、
通信ログを記憶する手順と、
現在の時刻と前記通信ログとに基づいて、動作モードを決定する手順と
前記決定した動作モードで通信を行う手順とを実行させる。
【発明の効果】
【００２１】
以上説明したように、本発明においては、不要に大きな電流消費を回避することができる。
【図面の簡単な説明】
【００２２】
【図１】本発明の通信装置の第１の実施の形態を示す図である。
【図２】図１に示した記憶部の内部構造の一例を示す図である。
【図３】図２に示したログ記憶部に記憶された通信ログの一例を示す図である。
【図４】図２に示した動作モード記憶部に記憶された通信モードと動作モードとの対応付けの一例を示す図である。
【図５】図１に示したモード設定部が通信部に通常電流モードを設定した場合の、通信部において各通信モードが動作する時間的割合の一例を円グラフで示した図である。
【図６】図１に示したモード設定部が通信部に小電流モードを設定した場合の、通信部において各通信モードが動作する時間的割合の一例を示す図である。
【図７】図１に示した通信装置における通信方法の一例を説明するためのフローチャートである。
【図８】消費電流の時間的変化の一例を示す図である。
【図９】本発明の通信装置の第２の実施の形態を示す図である。
【図１０】図９に示した通信装置における通信方法の一例を説明するためのフローチャートである。
【図１１】本発明の通信装置の第３の実施の形態を示す図である。
【図１２】非接触型ＩＣカード端末において動作している通信モードと消費電流との関係の一例を示す図である。
【図１３】ＮＦＣ端末において動作している通信モードと消費電流との関係の一例を示す図である。
【発明を実施するための形態】
【００２３】
以下に、本発明の実施の形態について図面を参照して説明する。
（第１の実施の形態）
図１は、本発明の通信装置の第１の実施の形態を示す図である。
【００２４】
本形態における通信装置１００には図１に示すように、通信部１１０と、時刻取得部１２０と、記憶部１３０と、モード設定部１４０とが設けられている。なお、図１には、通信装置１００に設けられた構成要素のうち、本実施の形態に関わる主要な構成要素の一例を示す。
【００２５】
通信部１１０は、通信装置１００の外部の装置との間で通信を行う。また、通信部１１０は、複数の通信モードで通信を行うことができる。この通信モードとして、例えば、非接触ＩＣカードのように通信装置１００が非接触ＩＣカード機能を実現するカードエミュレーションモード（以下、カードモードと称する）や、通信装置１００をリーダ／ライタとして使うＲ／Ｗモード、通信装置１００が他の通信装置との間で、１対１で双方向のデータ通信を行うＰ２Ｐモードが挙げられる。また、通信部１１０は、複数の動作モードのうちモード設定部１４０が設定した動作モードで通信を行う。この動作モードは、上述した通信モードをどのように動作させるかというモードであり、詳細については後述する。
【００２６】
時刻取得部１２０は、現在の時刻を取得する。例えば、時刻取得部１２０は時計であっても良い。
【００２７】
記憶部１３０は、通信部１１０が行った通信ログを記憶する。
【００２８】
モード設定部１４０は、現在の時刻と記憶部１３０に記憶されている通信ログとに基づいて、動作モードを通信部１１０に設定する。この現在の時刻は、時刻取得部１２０が取得した時刻で良い。
【００２９】
図２は、図１に示した記憶部１３０の内部構造の一例を示す図である。
【００３０】
図１に示した記憶部１３０には図２に示すように、ログ記憶部１３１と、動作モード記憶部１３２とが設けられている。
【００３１】
ログ記憶部１３１は、通信部１１０が行った通信履歴、つまり、通信ログを記憶する。
【００３２】
図３は、図２に示したログ記憶部１３１に記憶された通信ログの一例を示す図である。
【００３３】
図２に示したログ記憶部１３１には図３に示すように、時間帯と、その時間帯に使用されていた通信モードとが対応付けられた通信ログが記憶されている。図３に示した例では、ログ記憶部１３１には、９時から１２時までは、Ｒ／Ｗモードの通信モードが使用され、１２時から１３時３０分までは、Ｐ２Ｐモードの通信モードが使用され、１３時３０分から１５時までは、Ｒ／Ｗモードの通信モードが使用され、さらに、１５時から１７時までは、カードモードの通信モードが使用されたことを示す通信ログが記憶されている。なお、図３では、ログ記憶部１３１は時間帯を記憶しているが、曜日や日にち、月、季節等も対応付けて記憶するものであっても良い。
【００３４】
動作モード記憶部１３２は、複数の通信モードと動作モードとをあらかじめ対応付けて記憶する。
【００３５】
図４は、図２に示した動作モード記憶部１３２に記憶された通信モードと動作モードとの対応付けの一例を示す図である。
【００３６】
図２に示した動作モード記憶部１３２には図４に示すように、通信モードと動作モードとが対応付けられて記憶されている。この対応付けは、あらかじめ設定されているものである。図４に示した例では、通信モード「カードモード」と動作モード「小電流モード」とが対応付けられて記憶されている。また、通信モード「Ｒ／Ｗモード」と動作モード「通常電流モード」とが対応付けられて記憶されている。また通信モード「Ｐ２Ｐモード」と動作モード「通常電流モード」とが対応付けられて記憶されている。
【００３７】
以下に、通常電流モードおよび小電流モードについて説明する。
【００３８】
図５は、モード設定部１４０が通信部１１０に通常電流モードを設定した場合の、通信部１１０において各通信モードが動作する時間的割合の一例を円グラフで示した図である。
【００３９】
図５に示すように、通信部１１０に通常電流モードが設定された場合、通信部１１０において、カードモードで動作する時間と、Ｒ／Ｗモードで動作する時間と、Ｐ２Ｐモードで動作する時間とがほぼ同じとなる。
【００４０】
図６は、モード設定部１４０が通信部１１０に小電流モードを設定した場合の、通信部１１０において各通信モードが動作する時間的割合の一例を示す図である。
【００４１】
図６に示すように、通信部１１０に小電流モードが設定された場合、通信部１１０において、カードモードで動作する時間に対して、Ｒ／Ｗモードで動作する時間およびＰ２Ｐモードで動作する時間の割合が低くなる。この小電流モードは、消費電流の大きなＲ／ＷモードおよびＰ２Ｐモードで動作する時間的割合を、消費電流の小さなカードモードで動作する時間的割合よりも低くする動作モードである。通信部１１０にこの小電流モードを設定することで消費電流が不要に大きくなることを防止している。
【００４２】
以下に、図１に示した通信装置１００における通信方法について説明する。ここで、通信ログがログ記憶部１３１に記憶されていることが前提である。このログ記憶部１３１の通信ログの記憶方法は、図３に示した時間帯と、その時間帯に使用された通信モードとの対応付けを記憶できる方法であれば、一般的な通信履歴を記憶する方法で良い。例えば、ログ記憶部１３１が、通信部１１０がどの通信モードで通信を行っているかを時刻取得部１２０が取得している時刻とともに管理し、その管理した結果を記憶するものであっても良い。
【００４３】
図７は、図１に示した通信装置１００における通信方法の一例を説明するためのフローチャートである。
【００４４】
まず、時刻取得部１２０が、現在の時刻を取得する（ステップＳ１）。時刻取得部１２０は取得した時刻をモード設定部１４０へ通知する。すると、モード設定部１４０は、時刻取得部１２０から通知された時刻を検索キーとして、当該時刻に対応する時間帯に使用されていた通信モードをログ記憶部１３１に記憶されている通信ログから検索する（ステップＳ２）。例えば、時刻取得部１２０から通知された時刻が１０時であった場合、モード設定部１４０は、ログ記憶部１３１に記憶されている通信ログ（例えば、図３に示したもの）の時間帯９時から１２時までと対応付けられた通信モードを検索する。
【００４５】
続いて、モード設定部１４０は、ステップＳ２で検索した通信モードと対応付けられている動作モードを動作モード記憶部１３２から検索する（ステップＳ３）。検索された動作モードが通常電流モードである場合、モード設定部１４０は、通信部１１０に設定する動作モードを通常電流モードに決定し、通常電流モードを通信部１１０に設定する（ステップＳ４）。一方、検索された動作モードが小電流モードである場合、モード設定部１４０は、通信部１１０に設定する動作モードを小電流モードに決定し、小電流モードを通信部１１０に設定する（ステップＳ５）。
【００４６】
例えば、図４に示した対応付けが動作モード記憶部１３２に記憶されている場合、ステップＳ２にて通信モードとしてカードモードが検索されると、モード設定部１４０は、通信部１１０に設定する動作モードを、動作モード記憶部１３２にてカードモードを対応付けられている小電流モードに決定する。また、ステップＳ２にて通信モードとしてＲ／Ｗモードが検索されると、モード設定部１４０は、通信部１１０に設定する動作モードを、動作モード記憶部１３２にてＲ／Ｗモードを対応付けられている通常電流モードに決定する。また、ステップＳ２にて通信モードとしてＰ２Ｐモードが検索されると、モード設定部１４０は、通信部１１０に設定する動作モードを、動作モード記憶部１３２にてＰ２Ｐモードを対応付けられている通常電流モードに決定する。
【００４７】
その後、通信部１１０において、それぞれ設定された動作モードが動作する。
【００４８】
図８は、上述したように設定された後の消費電流の時間的変化の一例を示す図である。図８では、通信部１１０に、６時から９時までは小電流モードが設定され、９時から１５時までは通常電流モードが設定され、１５時から２４時までは小電流モードが設定された場合を例に挙げて示す。
【００４９】
図８に示すように、通常電流モードが設定された９時から１５時までの、消費電流の大きなＲ／ＷモードやＰ２Ｐモードが動作する時間の割合と消費電流の小さなカードモードで動作する時間の割合とが同じである一方、小電流モードが設定された６時から９時までおよび１５時から２４時までの、Ｒ／ＷモードやＰ２Ｐモードが動作する時間の割合がカードモードで動作する時間の割合に対して小さくなる。
【００５０】
このように、過去の通信履歴に基づいて、通信モードの動作を制御することで、ライフサイクルに合った通信モードを動作させることができ、不要に大きな電流消費を回避することができる。
（第２の実施の形態）
図９は、本発明の通信装置の第２の実施の形態を示す図である。
【００５１】
本形態における通信装置２００には図９に示すように、通信部１１０と、状態判定部２３０と、モード設定部２４０とが設けられている。なお、図９には、通信装置２００に設けられた構成要素のうち、本実施の形態に関わる主要な構成要素の一例を示す。
【００５２】
通信部１１０は、第１の実施の形態におけるものと同じものである。
【００５３】
状態判定部２３０は、通信装置２００の動作状態を判定する。具体的には、状態判定部２３０は、通信装置２００が具備する機能を監視し、それぞれの機能が動作しているかどうかを判定する。例えば、電源ＩＣが、各機能を具備する専用ＩＣの稼働状況を監視して動作状態を監視するという構成で状態判定部２３０を実現するものであっても良い。また、状態判定部２３０は、加速度センサ等のセンサを用いて、通信装置２００が移動しているかどうかを動作状態として判定する。
【００５４】
モード設定部２４０は、状態判定部２３０が判定した動作状態に基づいて、動作モードを通信部１１０に設定する。このとき、モード設定部２４０は、動作状態と動作モードとをあらかじめ対応付けて記憶しておき、状態判定部２３０が判定した動作状態に基づいて、この対応付けから動作モードを検索するものであっても良い。この動作モードは、第１の実施の形態で説明したものと同じである。
【００５５】
以下に、図９に示した通信装置２００における通信方法について説明する。ここでは、モード設定部２４０に、動作状態と動作モードとがあらかじめ対応付けられて記憶されている場合を例に挙げて説明する。
【００５６】
図１０は、図９に示した通信装置２００における通信方法の一例を説明するためのフローチャートである。
【００５７】
まず、状態判定部２３０が、通信装置２００の現在の動作状態を判定する（ステップＳ１１）。これは、上述したように、状態判定部２３０が、各機能を具備する専用ＩＣの稼働状況に基づいて、動作状態を判定するもので良い。
【００５８】
続いて、モード設定部２４０は、状態判定部２３０が判定した動作状態と対応付けられている動作モードを検索する（ステップＳ１２）。検索された動作モードが通常電流モードである場合、モード設定部２４０は、通信部１１０に設定する動作モードを通常電流モードに決定し、通常電流モードを通信部１１０に設定する（ステップＳ１３）。一方、検索された動作モードが小電流モードである場合、モード設定部２４０は、通信部１１０に設定する動作モードを小電流モードに決定し、小電流モードを通信部１１０に設定する（ステップＳ１４）。
【００５９】
また、動作モードとして、例えば、通信モードとしてカードモードのみが動作する動作モード（以下、カード動作モードと称する）を設けるものであっても良い。
【００６０】
例えば、通信装置２００の保持者がカメラを使用している時にはカメラ専用ＩＣが動作している。カメラ専用ＩＣが動作しているときには、Ｒ／ＷモードおよびＰ２Ｐモードの使用はない。また、カメラ専用ＩＣを動作させるために、電源ＩＣが所定のシリアルバスを経由してカメラ専用ＩＣを制御している。状態判定部２３０が、この電源ＩＣの制御を監視し、カメラ専用ＩＣが動作していると判定した場合、モード設定部２４０は、動作モードをカード動作モードに決定し、通信部１１０にカード動作モードを設定する。また、モード設定部２４０が通信部１１０にカード動作モードを設定した後、状態判定部２３０が、カメラ専用ＩＣが非動作となったと判定した場合も、状態判定部２３０は他の専用ＩＣ（動作中はＲ／ＷモードおよびＰ２Ｐモードの使用はないもの）の動作状態を判定する。状態判定部２３０が、他の専用ＩＣが動作し続けていると判定した場合、モード設定部２４０は、通信部１１０へのカード動作モードの設定を維持し、状態判定部２３０が、他の専用ＩＣが非動作となったと判定した時点で、モード設定部２４０は、通信部１１０へのカード動作モードの設定を解除する。この方法では、専用ＩＣが動作してカード動作モードとなってから、専用ＩＣが非動作になるまでの時間、不要に大きな電流消費を回避することができる。
【００６１】
また、通信装置２００の移動中は、Ｒ／ＷモードおよびＰ２Ｐモードの使用はない。そのため、状態判定部２３０が、通信装置２００が移動中であると判定した場合、モード設定部２４０は、通信部１１０に小電流モードやカード動作モードを設定することで、移動中に不要に大きな電流消費を回避することができる。
（第３の実施の形態）
また、第１の実施の形態と第２の実施の形態とを融合したものであっても良い。
【００６２】
図１１は、本発明の通信装置の第３の実施の形態を示す図である。
【００６３】
本形態における通信装置３００には図１１に示すように、通信部１１０と、時刻取得部１２０と、記憶部１３０と、状態判定部２３０と、モード設定部３４０とが設けられている。なお、図１１には、通信装置３００に設けられた構成要素のうち、本実施の形態に関わる主要な構成要素の一例を示す。
【００６４】
通信部１１０、時刻取得部１２０および記憶部１３０は、第１の実施の形態におけるものと同じものである。また、状態判定部２３０は、第２の実施の形態におけるものと同じものである。
【００６５】
モード設定部３４０は、現在の時刻と、記憶部１３０に記憶されている通信ログと、状態判定部２３０が判定した動作状態とに基づいて、動作モードを通信部１１０に設定する。つまり、モード設定部３４０は、第１の実施の形態におけるモード設定部１４０が行う動作モードの判定と、第２の実施の形態におけるモード設定部２４０が行う動作モードの判定とを行う。例えば、モード設定部３４０は、現在の時刻と記憶部１３０に記憶されている通信ログとに基づいて、通信部１１０に設定する動作モードが小電流モードであると判定し、状態判定部２３０が判定した動作状態に基づいて、通信部１１０に設定する動作モードが小電流モードであると判定した場合、通信部１１０に小電流モードを設定するものであっても良い。また、モード設定部３４０は、現在の時刻と記憶部１３０に記憶されている通信ログとに基づいて、通信部１１０に設定する動作モードが通常電流モードであると判定し、状態判定部２３０が判定した動作状態に基づいて、通信部１１０に設定する動作モードが小電流モードであると判定した場合、通信部１１０に小電流モードを設定するものであっても良い。また、モード設定部３４０は、現在の時刻と記憶部１３０に記憶されている通信ログとに基づいて、通信部１１０に設定する動作モードが小電流モードであると判定し、状態判定部２３０が判定した動作状態に基づいて、通信部１１０に設定する動作モードが通常電流モードであると判定した場合、通信部１１０に小電流モードを設定するものであっても良い。また、モード設定部３４０は、現在の時刻と記憶部１３０に記憶されている通信ログとに基づいて、通信部１１０に設定する動作モードが通常電流モードであると判定し、状態判定部２３０が判定した動作状態に基づいて、通信部１１０に設定する動作モードが通常電流モードであると判定した場合、通信部１１０に通常電流モードを設定するものであっても良い。
【００６６】
このように、ライフサイクルや通信装置３００の動作状態に応じて通信部１１０の動作モードを変更するため、不要に大きな電流消費を回避することができる。
【００６７】
以上説明したように、本発明においては、不要に大きな電流消費を回避することができ、通信装置の起動時間を長くすることができる。
【００６８】
なお、上述した通信装置１００，２００，３００は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機等の電子機器である。
【００６９】
また、上述した通信装置１００，２００，３００に設けられた各構成要素が行う処理は、目的に応じてそれぞれ作製された論理回路で行うようにしても良い。また、処理内容を手順として記述したコンピュータプログラム（以下、プログラムと称する）を通信装置１００，２００，３００にて読取可能な記録媒体に記録し、この記録媒体に記録されたプログラムを通信装置１００，２００，３００に読み込ませ、実行するものであっても良い。通信装置１００，２００，３００にて読取可能な記録媒体とは、フロッピー（登録商標）ディスク、光磁気ディスク、ＤＶＤ、ＣＤなどの移設可能な記録媒体の他、通信装置１００，２００，３００に内蔵されたＲＯＭ、ＲＡＭ等のメモリやＨＤＤ等を指す。この記録媒体に記録されたプログラムは、通信装置１００，２００，３００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００７０】
上記の実施の形態の一部または全部は、以下の付記のようにも記載され得るが、以下には限られない。
（付記１）外部の装置との間で通信を行う通信部と、
時刻を取得する時刻取得部と、
前記通信部の通信ログを記憶する記憶部と、
現在の時刻と、前記記憶部に記憶されている通信ログとに基づいて、動作モードを決定し、該決定した動作モードを前記通信部に設定するモード設定部とを有し、
前記通信部は、複数の動作モードのうち前記モード設定部が設定した動作モードで通信を行う通信装置。
（付記２）前記モード設定部は、現在の時刻を検索キーとして、前記記憶部から該時刻に応じた動作モードを検索し、該検索した動作モードを前記通信部に設定する動作モードとして決定することを特徴とする、付記１に記載の通信装置。
（付記３）前記記憶部は、
前記通信ログを記憶するログ記憶部と、
複数の通信モードと前記動作モードとをあらかじめ対応付けて記憶する動作モード記憶部とを有し、
前記モード設定部は、現在の時刻に対応する時間帯に使用されていた通信モードを前記ログ記憶部から検索し、該検索した通信モードと対応付けられている動作モードを前記動作モード記憶部から検索し、該検索した動作モードを前記通信部に設定する動作モードとして決定することを特徴とする、付記１または付記２に記載の通信装置。
（付記４）当該通信装置の動作状態を判定する状態判定部を有し、
前記モード設定部は、現在の時刻と、前記記憶部に記憶されている通信ログと、前記状態判定部が判定した動作状態とに基づいて、前記動作モードを決定することを特徴とする、付記１から３のいずれか１項に記載の通信装置。
（付記５）時刻を取得する処理と、
通信ログを記憶する処理と、
現在の時刻と前記通信ログとに基づいて、動作モードを決定する処理と
前記決定した動作モードで通信を行う処理とを行う通信方法。
（付記６）コンピュータに、
時刻を取得する手順と、
通信ログを記憶する手順と、
現在の時刻と前記通信ログとに基づいて、動作モードを決定する手順と
前記決定した動作モードで通信を行う手順とを実行させるためのプログラム。
（付記７）通信装置であって、
外部の装置との間で通信を行う通信部と、
当該通信装置の動作状態を判定する状態判定部と、
前記状態判定部が判定した動作状態に基づいて、動作モードを決定し、該決定した動作モードを前記通信部に設定するモード設定部とを有し、
前記通信部は、複数の動作モードのうち前記モード設定部が設定した動作モードで通信を行う通信装置。
【符号の説明】
【００７１】
１００，２００，３００    通信装置
１１０    通信部
１２０    時刻取得部
１３０    記憶部
１３１    ログ記憶部
１３２    動作モード記憶部
１４０，２４０，３４０    モード設定部
２３０    状態判定部
【図１】
2014150479.tif 000003
【図２】
2014150479.tif 000004
【図３】
2014150479.tif 000005
【図４】
2014150479.tif 000006
【図５】
2014150479.tif 000007
【図６】
2014150479.tif 000008
【図７】
2014150479.tif 000009
【図８】
2014150479.tif 000010
【図９】
2014150479.tif 000011
【図１０】
2014150479.tif 000012
【図１１】
2014150479.tif 000013
【図１２】
2014150479.tif 000014
【図１３】
2014150479.tif 000015